(57)【要約】【課題】非使用時、摩擦体が汚れることを回避できる熱変色性筆記具を提供する。【解決手段】熱変色性インキが吐出可能なペン先２１と、熱変色性インキの筆跡を摩擦しその際に生じる摩擦熱で該筆跡を熱変色可能な低磨耗性の弾性材料からなる摩擦体３とを備えた熱変色性筆記具であって、摩擦体側に装着可能な保護部材４を着脱自在に備え、保護部材４を摩擦体側に装着した状態において、保護部材４の頂部が摩擦体３の頂部よりも外方に位置する。保護部材４が筒状であり、保護部材４を摩擦体側に装着した状態において、保護部材４が摩擦体３の外周面を包囲する。保護部材４の内周面と摩擦体３の外周面とが着脱自在に嵌合する。保護部材４の内周面と摩擦体３の外周面とが着脱自在に嵌合する際、保護部材４の内部と外部とを連通する通気手段を備える。【選択図】  図１
2014141077.tif 000002
【特許請求の範囲】
【請求項１】
熱変色性インキが吐出可能なペン先と、前記熱変色性インキの筆跡を摩擦しその際に生じる摩擦熱で該筆跡を熱変色可能な低磨耗性の弾性材料からなる摩擦体とを備えた熱変色性筆記具であって、摩擦体側に装着可能な保護部材を着脱自在に備え、前記保護部材を前記摩擦体側に装着した状態において、前記保護部材の頂部が前記摩擦体の頂部よりも外方に位置してなることを特徴とする熱変色性筆記具。
【請求項２】
前記保護部材が筒状であり、前記保護部材を前記摩擦体側に装着した状態において、前記保護部材が前記摩擦体の外周面を包囲してなる請求項１記載の熱変色性筆記具。
【請求項３】
前記保護部材の内周面と前記摩擦体の外周面とが着脱自在に直接嵌合してなる請求項２記載の熱変色性筆記具。
【請求項４】
前記保護部材の内周面と前記摩擦体の外周面とが着脱自在に嵌合する際、前記保護部材の内部と外部とを連通する通気手段を備えた請求項３記載の熱変色性筆記具。
【請求項５】
前記保護部材が、頂壁と該頂壁に連設される筒状の側壁とからなる有底筒状体であり、前記保護部材の頂壁または側壁に、前記通気手段としての通気孔を設けた請求項４記載の熱変色性筆記具。
【請求項６】
前記保護部材が、頂壁と該頂壁に連設される筒状の側壁とからなる有底筒状体であり、前記保護部材の側壁の内周面と前記摩擦体の外周面との間に、前記通気手段としての通気路を設けた請求項４記載の熱変色性筆記具。
【請求項７】
軸筒の内部に熱変色性インキを収容し、前記軸筒の前端に前記熱変色性インキが吐出可能なペン先を設け、前記軸筒の後端に前記摩擦体を設けた請求項１乃至６の何れかに記載の熱変色性筆記具。
【請求項８】
前記軸筒内に筆記体を前後方向に移動可能に収容し、前記筆記体の内部に熱変色性インキを収容し、前記筆記体の前端に前記熱変色性インキが吐出可能なペン先を設け、前記軸筒に操作部を設け、前記操作部を操作することにより前記筆記体のペン先を軸筒の前端孔から出没可能に構成した請求項７記載の熱変色性筆記具。
【請求項９】
前記軸筒の前部外面及び後部外面に着脱自在に装着されるキャップを備え、前記キャップ内面に、前記キャップ内面と前記軸筒後部外面とが嵌合する後ろ差し嵌合部を設け、前記キャップ内面の後ろ差し嵌合部の内径を前記保護部材の外径より大きく形成した請求項７記載の熱変色性筆記具。
【請求項１０】
軸筒の内部に熱変色性インキを収容し、前記軸筒の前端に前記熱変色性インキが吐出可能なペン先を設け、前記軸筒の前部外面に着脱自在に装着されるキャップを備え、前記キャップの頂部外面に前記摩擦体を設けた請求項１乃至６の何れかに記載の熱変色性筆記具。
【請求項１１】
取り外された前記保護部材を前記摩擦体以外の部位に着脱自在に設けた請求項１乃至１０の何れかに記載の熱変色性筆記具。
【請求項１２】
熱変色性インキの像または筆跡を摩擦しその際に生じる摩擦熱で該像または筆跡を熱変色可能な低磨耗性の弾性材料からなる摩擦体を備えた摩擦具であって、
有底筒状体からなる保護部材の内周面と前記摩擦体の外周面とを着脱自在に直接嵌合させ、前記保護部材を摩擦体に嵌合させた状態において、前記保護部材の頂部が前記摩擦体の頂部よりも外方に位置してなることを特徴とする摩擦具。
【請求項１３】
前記保護部材の内周面と前記摩擦体の外周面とが着脱自在に嵌合する際、前記保護部材の内部と外部とを連通する通気手段を備えた請求項１２記載の摩擦具。
【請求項１４】
前記保護部材が、頂壁と該頂壁に連設される筒状の側壁とからなる有底筒状体であり、前記保護部材の頂壁または側壁に、前記通気手段としての通気孔を設けた請求項１３記載の摩擦具。
【請求項１５】
前記保護部材が、頂壁と該頂壁に連設される筒状の側壁とからなる有底筒状体であり、前記保護部材の側壁の内周面と前記摩擦体の外周面との間に、前記通気手段としての通気路を設けた請求項１３記載の摩擦具。
【請求項１６】
取り外された前記保護部材を前記摩擦体以外の部位に着脱自在に設けた請求項１２乃至１５の何れかに記載の摩擦具。
【発明の詳細な説明】
【技術分野】
【０００１】
本発明は、熱変色性筆記具及び摩擦具に関する。詳細には、本発明は、熱変色性インキが吐出可能なペン先と、前記熱変色性インキの筆跡を摩擦しその際に生じる摩擦熱で該筆跡を熱変色可能な低磨耗性の弾性材料からなる摩擦体とを備えた熱変色性筆記具、及び熱変色性インキの像または筆跡を摩擦しその際に生じる摩擦熱で該像または筆跡を熱変色可能な低磨耗性の弾性材料からなる摩擦体を備えた摩擦具に関する。
【背景技術】
【０００２】
従来、この種の熱変色性筆記具において、軸胴の後端やキャップの頂部に摩擦体を設ける構成が開示されている（例えば、特許文献１）。
【先行技術文献】
【特許文献】
【０００３】
【特許文献１】特開２００７−２２３３０２号公報
【発明の概要】
【発明が解決しようとする課題】
【０００４】
前記特許文献１の熱変色性筆記具は、摩擦体が常に外部に露出している。そのため、摩擦体の非使用時、ユーザーの指先が摩擦体に接触したり、あるいは熱変色性筆記具を収納体（例えば、ペンケース、ペン立て、または衣服のポケット等）に収納して保管した際に該収納体の内面（例えば、ペンケースの内面、ペン立ての底面、または衣服のポケット内面等）と摩擦体とが接触することにより、摩擦体表面に手垢や埃等が付着し、摩擦体表面が汚れ、さらにその汚れた状態の摩擦体を用いて紙面を摩擦すると、紙面が汚れる不具合があった。
【０００５】
本発明は前記従来の問題点を解決するものであって、非使用時、摩擦体が汚れることを回避できる熱変色性筆記具及び摩擦具を提供しようとするものである。
【０００６】
尚、本発明において、「前」とはペン先側を指し、「後」とはその反対側を指す。
【課題を解決するための手段】
【０００７】
本願の第１の発明は、熱変色性インキが吐出可能なペン先２１と、前記熱変色性インキの筆跡を摩擦しその際に生じる摩擦熱で該筆跡を熱変色可能な低磨耗性の弾性材料からなる摩擦体３とを備えた熱変色性筆記具であって、摩擦体側に装着可能な保護部材４を着脱自在に備え、前記保護部材４を前記摩擦体側に装着した状態において、前記保護部材４の頂部が前記摩擦体３の頂部よりも外方に位置してなることを要件とする。
【０００８】
前記第１の発明の熱変色性筆記具１は、摩擦体側に装着可能な保護部材４を着脱自在に備え、前記保護部材４を前記摩擦体側に装着した状態において、前記保護部材４の頂部が前記摩擦体３の頂部よりも外方（即ち摩擦体突出方向外方）に位置してなることにより、摩擦体非使用時、ユーザーの指先との接触や、摩擦体３と収容体内面（例えば、ペンケースの内面、ペン立ての底面、または衣服のポケット内面）との接触を回避でき、摩擦体３に手垢や埃等が付着すること（即ち摩擦体が汚れること）を防止できる。
【０００９】
前記第１の発明の熱変色性筆記具１において、前記保護部材４の取り付けは、例えば、摩擦体３に着脱自在に直接取り付ける構成や、摩擦体側の部材に着脱自在に取り付ける構成が挙げられる。前記第１の発明の熱変色性筆記具１において、前記保護部材４の形状は、筒状、板状、棒状、複数の突片状等、何れであってもよい。
【００１０】
本願の第２の発明は、前記第１の発明の熱変色性筆記具１において、前記保護部材４が筒状であり、前記保護部材４を前記摩擦体側に装着した状態において、前記保護部材４が前記摩擦体３の外周面を包囲してなることを要件とする。
【００１１】
前記第２の発明の熱変色性筆記具１は、摩擦体非使用時、ユーザーの指先や、摩擦体３と収容体内面（例えば、ペンケースの内面、ペン立ての底面、または衣服のポケット内面）との接触を確実に回避でき、摩擦体３が汚れることを確実に防止できる。
【００１２】
本願の第３の発明は、前記第２の発明の熱変色性筆記具１において、前記保護部材４の内周面と前記摩擦体３の外周面とが着脱自在に直接嵌合してなることを要件とする。
【００１３】
前記第３の発明の熱変色性筆記具１は、摩擦体非使用時、筒状の保護部材４の内周面と、低摩耗性の弾性材料からなる摩擦体３の外周面との安定した嵌合状態を維持でき、保護部材４が摩擦体３から不用意に脱落することを防止できる。前記摩擦体３の外周面には外側嵌合部が設けられ、前記保護部材４の内周面には、前記外側嵌合部と着脱自在に直接嵌合可能な内側嵌合部が設けられる。前記保護部材４の内周面と前記摩擦体３の外周面との嵌合は、例えば、圧入嵌合、凹凸嵌合、ネジ嵌合等が挙げられる。
【００１４】
本願の第４の発明は、前記第３の発明の熱変色性筆記具１において、前記保護部材４の内周面と前記摩擦体３の外周面とが着脱自在に嵌合する際、前記保護部材４の内部と外部とを連通する通気手段を備えたことを要件とする。
【００１５】
前記第４の発明の熱変色性筆記具１は、前記保護部材４の内周面と前記摩擦体３の外周面とを着脱する際、保護部材４の内部を加圧・減圧せず、保護部材４を摩擦体３にスムーズに着脱させることができる。
【００１６】
本願の第５の発明は、前記第４の発明の熱変色性筆記具１において、前記保護部材４が、頂壁と該頂壁に連設される筒状の側壁とからなる有底筒状体であり、前記保護部材４の頂壁または側壁に、前記通気手段としての通気孔４２を設けたことを要件とする。
【００１７】
前記第５の発明の熱変色性筆記具１は、前記保護部材４の内周面と前記摩擦体３の外周面とを着脱する際、前記通気孔４２により、保護部材４の内部と外部とを確実に連通させることができる。
【００１８】
本願の第６の発明は、前記第４の発明の熱変色性筆記具１において、前記保護部材４が、頂壁と該頂壁に連設される筒状の側壁とからなる有底筒状体であり、前記保護部材４の側壁の内周面と前記摩擦体３の外周面との間に、前記通気手段としての通気路を設けたことを要件とする。
【００１９】
前記第６の発明の熱変色性筆記具１は、前記保護部材４の内周面と前記摩擦体３の外周面とを着脱する際、前記通気路により、保護部材４の内部と外部とを確実に連通させることができる。また、前記第６の発明の熱変色性筆記具１は、摩擦体非使用時、通気手段を備えたにもかかわらず、摩擦体３を、頂壁や側壁に通気孔を備えない有底筒状体の保護部材４で覆うことができ、保護部材４の内部に塵や埃の侵入を防ぎ、より一層、摩擦体３の汚れを回避できる。
【００２０】
本願の第７の発明は、前記第１乃至第６の発明の熱変色性筆記具１において、軸筒２の内部に熱変色性インキを収容し、前記軸筒２の前端に前記熱変色性インキが吐出可能なペン先２１を設け、前記軸筒２の後端に前記摩擦体３を設けたことを要件とする。
【００２１】
前記第７の発明の熱変色性筆記具１は、軸筒２の後端に摩擦体３を備えるため、摩擦体３を保護部材４で保護した状態でペン先２１を用いて筆記することができ、摩擦体３の使用時のみ、保護部材４を摩擦体３から取り外して使用でき、非使用時の摩擦体３の汚れをできる限り回避できる。
【００２２】
本願の第８の発明は、前記第７の発明の熱変色性筆記具１において、前記軸筒２内に筆記体を前後方向に移動可能に収容し、前記筆記体の内部に熱変色性インキを収容し、前記筆記体の前端に前記熱変色性インキが吐出可能なペン先２１を設け、前記軸筒２に操作部２２を設け、前記操作部２２を操作することにより前記筆記体のペン先２１を軸筒２の前端孔から出没可能に構成したことを要件とする。
【００２３】
前記第８の発明の熱変色性筆記具１は、非使用時の摩擦体３の汚れをできる限り回避できる出没式の熱変色性筆記具１が得られる。
【００２４】
本願の第９の発明は、前記第７の発明の熱変色性筆記具１において、前記軸筒２の前部外面及び後部外面に着脱自在に装着されるキャップ５を備え、前記キャップ５内面に、前記キャップ５内面と前記軸筒２後部外面とが嵌合する後ろ差し嵌合部５１を設け、前記キャップ５内面の後ろ差し嵌合部５１の内径を前記保護部材４の外径より大きく形成したことを要件とする。
【００２５】
前記第９の発明の熱変色性筆記具１は、前記キャップ５の後ろ差し嵌合部５１の内径を前記保護部材４の外径より大きく形成したことにより、キャップ５を軸筒２後部に装着する際（即ちキャップ後ろ差し時）、保護部材４がキャップ５の後ろ差しを阻害せず、スムーズなキャップ装着が可能となる。
【００２６】
本願の第１０の発明は、前記第１乃至第６の発明の熱変色性筆記具１において、軸筒２の内部に熱変色性インキを収容し、前記軸筒２の前端に前記熱変色性インキが吐出可能なペン先２１を設け、前記軸筒２の前部外面に着脱自在に装着されるキャップ５を備え、前記キャップ５の頂部外面に前記摩擦体３を設けたことを要件とする。
【００２７】
前記第１０の発明の熱変色性筆記具１は、キャップ５の頂部外面に摩擦体３を備えるため、キャップ５をペン先側から取り外して、摩擦体３を保護部材４で覆った状態でペン先２１による筆記することができ、摩擦体３の使用時のみ、保護部材４を摩擦体３から取り外して使用でき、非使用時の摩擦体３の汚れをできる限り回避できる。
【００２８】
本願の第１１の発明は、前記第１乃至第１０の発明の熱変色性筆記具１において、取り外された前記保護部材４を前記摩擦体以外の部位に着脱自在に設けたことを要件とする。
【００２９】
前記第１１の発明の熱変色性筆記具１は、摩擦体側から取り外された保護部材４の紛失を防ぐことができる。なお、前記摩擦体以外の部位は、例えば、軸筒２、キャップ５、操作部２２、クリップ等が挙げられる。
【００３０】
本願の第１２の発明は、熱変色性インキの像または筆跡を摩擦しその際に生じる摩擦熱で該像または筆跡を熱変色可能な低磨耗性の弾性材料からなる摩擦体３を備えた摩擦具６であって、有底筒状体からなる保護部材４の内周面と前記摩擦体３の外周面とを着脱自在に直接嵌合させ、前記保護部材４を摩擦体３に嵌合させた状態において、前記保護部材４の頂部が前記摩擦体３の頂部よりも外方に位置してなることを要件とする。
【００３１】
前記第１２の発明の摩擦具６は、摩擦体非使用時、ユーザーの指先との接触や、摩擦体３と収容体内面（例えば、ペンケースの内面、ペン立ての底面、または衣服のポケット内面）との接触を回避でき、摩擦体３に手垢や埃等が付着すること（即ち摩擦体が汚れること）を防止できる。
【００３２】
また、前記第１２の発明の摩擦具６は、保護部材４が有底筒状体であり、保護部材４を摩擦体３に嵌合させた状態において、保護部材４により摩擦体３の外周面が包囲される。それにより、摩擦体非使用時、ユーザーの指先や、摩擦体３と収容体内面（例えば、ペンケースの内面、ペン立ての底面、または衣服のポケット内面）との接触を確実に回避でき、摩擦体３が汚れることを確実に防止できる。
【００３３】
また、前記の第１２の発明の摩擦具６は、有底筒状体からなる保護部材４の内周面と前記摩擦体３の外周面とを着脱自在に直接嵌合させてなることにより、摩擦体非使用時、保護部材４の内周面と、低摩耗性の弾性材料からなる摩擦体３の外周面との安定した嵌合状態を維持でき、保護部材４が摩擦体３から不用意に脱落することを防止できる。前記保護部材４の内周面と前記摩擦体３の外周面との嵌合は、例えば、圧入嵌合、凹凸嵌合、ネジ嵌合等が挙げられる。
尚、本発明の摩擦具６は、熱変色性インキ及び該熱変色性インキが吐出可能なペン先を備えない。
【００３４】
本願の第１３の発明は、前記第１２の発明の摩擦具６において、前記保護部材４の内周面と前記摩擦体３の外周面とが着脱自在に嵌合する際、前記保護部材４の内部と外部とを連通する通気手段を備えたことを要件とする。
【００３５】
前記第１３の発明の摩擦具６は、前記保護部材４の内周面と前記摩擦体３の外周面とを着脱する際、保護部材４の内部を加圧・減圧せず、保護部材４を摩擦体３にスムーズに着脱させることができる。
【００３６】
本願の第１４の発明は、前記第１３の発明の摩擦具６において、前記保護部材４が、頂壁と該頂壁に連設される筒状の側壁とからなる有底筒状体であり、前記保護部材４の頂壁または側壁に、前記通気手段としての通気孔４２を設けたことを要件とする。
【００３７】
前記第１４の発明の摩擦具６は、前記保護部材４の内周面と前記摩擦体３の外周面とを着脱する際、前記通気孔４２により、保護部材４の内部と外部とを確実に連通させることができる。
【００３８】
本願の第１５の発明は、前記第１３の発明の摩擦具６において、前記保護部材４が、頂壁と該頂壁に連設される筒状の側壁とからなる有底筒状体であり、前記保護部材４の側壁の内周面と前記摩擦体３の外周面との間に、前記通気手段としての通気路を設けたことを要件とする。
【００３９】
前記第１５の発明の摩擦具６は、前記保護部材４の内周面と前記摩擦体３の外周面とを着脱する際、前記通気路により、保護部材４の内部と外部とを確実に連通させることができる。また、前記第１５の発明の摩擦具６は、摩擦体非使用時、通気手段を備えたにもかかわらず、摩擦体３を、頂壁や側壁に通気孔を備えない有底筒状体の保護部材４で覆うことができ、保護部材４の内部に塵や埃の侵入を防ぎ、より一層、摩擦体３の汚れを回避できる。
【００４０】
本願の第１６の発明は、前記第１２乃至１５の発明の摩擦具６において、取り外された前記保護部材４を前記摩擦体以外の部位に着脱自在に設けたことを要件とする。
【００４１】
前記第１６の発明に摩擦具６は、摩擦体側から取り外された保護部材４の紛失を防ぐことができる。
【００４２】
本発明において、前記摩擦体３を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記弾性を有する合成樹脂は、高摩耗性の弾性材料（例えば、消しゴム等）からなるものではなく、摩擦時に摩耗カス（消しカス）が殆ど生じない低摩耗性の弾性材料からなる。本発明において、前記保護部材４は、合成樹脂（例えば、ポリカーボネイト、ポリエチレン、ポリプロピレン、ポリアセタール、ＡＢＳ樹脂等）から構成されることが好ましい。
【００４３】
本発明において、前記熱変色性インキは、加熱により変色または消色するタイプが好ましい。
【発明の効果】
【００４４】
本発明の熱変色性筆記具は、非使用時、摩擦体が汚れることを回避できる。
【００４５】
本発明の摩擦具は、非使用時、摩擦体が汚れることを回避できる。
【図面の簡単な説明】
【００４６】
【図１】本発明の第１の実施の形態の熱変色性筆記具の非使用時を示す一部縦断面図である。
【図２】図１の熱変色性筆記具の筆記使用時を示す一部縦断面図である。
【図３】図１の熱変色性筆記具の摩擦体使用時を示す一部縦断面図である。
【図４】本発明の第２の実施の形態の熱変色性筆記具の非使用時を示す一部縦断面図である。
【図５】図４の熱変色性筆記具の筆記使用時を示す一部縦断面図である。
【図６】図４の熱変色性筆記具の摩擦体使用時を示す一部縦断面図である。
【図７】本発明の第３の実施の形態の熱変色性筆記具の非使用時を示す一部縦断面図である。
【図８】図７の摩擦体使用時を示す縦断面図である。
【図９】本発明の摩擦体と保護部材の第１の構成を示す一部縦断面図である。
【図１０】本発明の摩擦体と保護部材の第２の構成を示す一部縦断面図である。
【図１１】本発明の摩擦体と保護部材の第３の構成を示す一部縦断面図である。
【図１２】本発明の摩擦体と保護部材の第４の構成を示す一部縦断面図である。
【図１３】本発明の摩擦体と保護部材の第５の構成を示す一部縦断面図である。
【図１４】本発明の摩擦体と保護部材の第６の構成を示す一部縦断面図である。
【図１５】本発明の摩擦体と保護部材の第７の構成を示す一部縦断面図である。
【図１６】本発明の第４の実施の形態の摩擦具の非使用時を示す一部縦断面図である。
【図１７】図１６の摩擦具の使用時を示す一部縦断面図である。
【発明を実施するための形態】
【００４７】
＜第１の実施の形態の熱変色性筆記具＞
図１乃至図３に本発明の第１の実施の形態の熱変色性筆記具１を示す。
本実施の形態の熱変色性筆記具１は、出没式の熱変色性筆記具である。
本実施の形態の熱変色性筆記具１は、軸筒２と、前記軸筒２内に前後方向に移動可能に収容される筆記体と、前記筆記体のペン先２１を軸筒２の前端孔より出没させる操作部２２と、前記軸筒２の後端に設けた摩擦体３と、前記摩擦体側に着脱自在に装着される保護部材４とからなる。前記筆記体の内部には熱変色性インキを収容され、筆記体の前端には、前記熱変色性インキが吐出可能なペン先２１が設けられる。
【００４８】
本実施の形態の熱変色性筆記具１は、前記軸筒２の後部側壁より前後方向に移動可能な操作部２２（クリップ）を径方向外方に突設させ、前記操作部２２を前方にスライド操作することにより前記筆記体のペン先２１を軸筒２の前端孔から出没可能とする出没機構（サイドスライド式の出没機構）を備える。
【００４９】
前記出没機構は、これ以外にも、軸筒後端に設けた操作部を前方に押圧することによりペン先が出没する後端ノック式、軸筒側壁外面より突出する操作部を径方向内方に押圧することによりペン先が出没するサイドノック式、軸筒後部の操作部を回転操作することによりペン先が出没する回転式等が挙げられる。
【００５０】
前記軸筒２の後端には、低摩耗性の弾性材料（例えば、ＳＢＳ樹脂、ＳＥＢＳ樹脂、シリコーン樹脂）よりなる摩擦体３が固着され、前記摩擦体３が軸筒２後端より後方に突出される。前記軸筒２は合成樹脂または金属により形成される。
【００５１】
前記保護部材４は、合成樹脂（例えば、ポリカーボネイト、ポリエチレン、ポリプロピレン、ポリアセタール、ＡＢＳ樹脂等）の筒状体からなる。前記保護部材４の内周面と、前記摩擦体３の外周面とが着脱自在に直接嵌合される。前記摩擦体３と保護部材４との具体的な構成は、図９乃至図１５の何れかの構成が採用される。
【００５２】
本実施の形態の熱変色性筆記具１は、摩擦体側に装着可能な保護部材４を着脱自在に備え、保護部材４を摩擦体側に装着した状態において、保護部材４の頂部が前記摩擦体３の頂部よりも外方に位置してなる。それにより、摩擦体非使用時、ユーザーの指先との接触や、摩擦体３と収容体内面（例えば、ペンケースの内面、ペン立ての底面、または衣服のポケット内面）との接触を回避でき、摩擦体３に手垢や埃等が付着すること（即ち摩擦体３が汚れること）を防止できる。
【００５３】
また、本実施の形態の熱変色性筆記具１は、保護部材４が筒状であり、保護部材４を摩擦体側に装着した状態において、保護部材４により摩擦体３の外周面が包囲される。それにより、摩擦体非使用時、ユーザーの指先や、摩擦体３と収容体内面（例えば、ペンケースの内面、ペン立ての底面、または衣服のポケット内面）との接触を確実に回避でき、摩擦体３が汚れることを確実に防止できる。
【００５４】
また、本実施の形態の熱変色性筆記具１は、保護部材４の内周面と摩擦体３の外周面とが着脱自在に直接嵌合してなることにより、摩擦体非使用時、筒状の保護部材４の内周面と、低摩耗性の弾性材料からなる摩擦体３の外周面との安定した嵌合状態を維持でき、保護部材４が摩擦体３から不用意に脱落することを防止できる。前記保護部材４の内周面と前記摩擦体３の外周面との嵌合は、例えば、圧入嵌合（図９）、凹凸嵌合（図１０）、ネジ嵌合（図１１）等が挙げられる。
【００５５】
また、本実施の形態の熱変色性筆記具１は、軸筒２の後端に摩擦体３を備えるため、摩擦体３を保護部材４で覆った状態でペン先２１による筆記することができ、摩擦体３の使用時のみ、保護部材４を摩擦体３から取り外して使用でき、非使用時の摩擦体３の汚れをできる限り回避できる。
【００５６】
また、本実施の形態の熱変色性筆記具１は、摩擦体３より取り外された保護部材４を摩擦体以外の部位（例えば、軸筒、操作部、クリップ）に着脱自在に設けられる。本実施の形態では、具体的には、軸筒２の側壁に摩擦体係止部２３を設け、該摩擦体係止部２３に、摩擦体使用時、一時的に摩擦体３が係止される。それにより、摩擦体側から取り外された保護部材４の紛失を防ぐことができる。
【００５７】
＜第２の実施の形態の熱変色性筆記具＞
図４乃至図６に本発明の第２の実施の形態の熱変色性筆記具１を示す。
本実施の形態の熱変色性筆記具１は、キャップ式の熱変色性筆記具である。
本実施の形態の熱変色性筆記具１は、熱変色性インキを内部に収容した軸筒２と、前記軸筒２の前端に設けられ、前記熱変色性インキが吐出可能なペン先２１と、前記軸筒２の後端に設けられた摩擦体３と、前記軸筒２のペン先側に着脱自在に装着されるキャップ５と、前記摩擦体側に着脱自在に装着される保護部材４とからなる。
【００５８】
前記軸筒２の後端には、低摩耗性の弾性材料（例えば、ＳＢＳ樹脂、ＳＥＢＳ樹脂、シリコーン樹脂）よりなる摩擦体３が固着され、前記摩擦体３が軸筒２後端より後方に突出される。前記軸筒２は合成樹脂または金属により形成される。
【００５９】
前記保護部材４は、合成樹脂（例えば、ポリカーボネイト、ポリエチレン、ポリプロピレン、ポリアセタール、ＡＢＳ樹脂等）の筒状体からなる。前記保護部材４の内周面と、前記摩擦体３の外周面とが着脱自在に直接嵌合される。なお、前記摩擦体３と保護部材４との具体的な構成は、図９乃至図１５の何れかの構成が採用される。
【００６０】
本実施の形態の熱変色性筆記具１は、摩擦体側に装着可能な保護部材４を着脱自在に備え、保護部材４を摩擦体側に装着した状態において、保護部材４の頂部が前記摩擦体３の頂部よりも外方に位置してなる。それにより、摩擦体非使用時、ユーザーの指先との接触や、摩擦体３と収容体内面（例えば、ペンケースの内面、ペン立ての底面、または衣服のポケット内面）との接触を回避でき、摩擦体３に手垢や埃等が付着すること（即ち摩擦体３が汚れること）を防止できる。
【００６１】
また、本実施の形態の熱変色性筆記具１は、保護部材４が筒状であり、保護部材４を摩擦体側に装着した状態において、保護部材４により摩擦体３の外周面が包囲される。それにより、摩擦体非使用時、ユーザーの指先や、摩擦体３と収容体内面（例えば、ペンケースの内面、ペン立ての底面、または衣服のポケット内面）との接触を確実に回避でき、摩擦体３が汚れることを確実に防止できる。
【００６２】
また、本実施の形態の熱変色性筆記具１は、保護部材４の内周面と摩擦体３の外周面とが着脱自在に直接嵌合してなることにより、摩擦体非使用時、筒状の保護部材４の内周面と、低摩耗性の弾性材料からなる摩擦体３の外周面との安定した嵌合状態を維持でき、保護部材４が摩擦体３から不用意に脱落することを防止できる。前記保護部材４の内周面と前記摩擦体３の外周面との嵌合は、例えば、圧入嵌合（図９）、凹凸嵌合（図１０）、ネジ嵌合（図１１）等が挙げられる。
【００６３】
また、本実施の形態の熱変色性筆記具１は、軸筒２の後端に摩擦体３を備えるため、摩擦体３を保護部材４で覆った状態でペン先２１による筆記することができ、摩擦体３の使用時のみ、保護部材４を摩擦体３から取り外して使用でき、非使用時の摩擦体３の汚れをできる限り回避できる。
【００６４】
また、本実施の形態の熱変色性筆記具１は、前記軸筒２の前部外面及び後部外面に着脱自在に装着されるキャップ５を備え、前記キャップ５内面に、前記キャップ５内面と前記軸筒２後部外面とが嵌合する後ろ差し嵌合部５１を設け、前記キャップ５内面の後ろ差し嵌合部５１の内径が前記保護部材４の外径より大きく形成される。それにより、キャップ５を軸筒２後部に装着する際（即ちキャップ後ろ差し時）、保護部材４がキャップ５の後ろ差しを阻害せず、スムーズなキャップ装着が可能となる。
【００６５】
また、本実施の形態の熱変色性筆記具１は、摩擦体３より取り外された保護部材４を摩擦体以外の部位（例えば、軸筒、キャップ、クリップ）に着脱自在に設けられる。本実施の形態では、具体的には、キャップ５の頂部に摩擦体係止部５３を設け、該摩擦体係止部５３に、摩擦体使用時、一時的に摩擦体３が係止される。それにより、摩擦体側から取り外された保護部材４の紛失を防ぐことができる。
【００６６】
＜第３の実施の形態の熱変色性筆記具＞
図７及び図８に本発明の第３の実施の形態の熱変色性筆記具１を示す。
本実施の形態の熱変色性筆記具１は、キャップ式の熱変色性筆記具である。
本実施の形態の熱変色性筆記具１は、熱変色性インキを内部に収容した軸筒２と、前記軸筒２の前端に設けられ、前記熱変色性インキが吐出可能なペン先２１と、前記軸筒２のペン先側に装着可能なキャップ５と、前記キャップ５の頂部に固着された、前記摩擦体側に着脱自在に装着される保護部材４とからなる。
【００６７】
前記キャップ５の頂部には、低摩耗性の弾性材料（例えば、ＳＢＳ樹脂、ＳＥＢＳ樹脂、シリコーン樹脂）よりなる摩擦体３がキャップ５頂部の摩擦体保持部５２に固着され、前記摩擦体３が摩擦体保持部５２より外方に突出される。前記摩擦体３の頂壁外面は平面状となり、摩擦体３の側壁外面はストレート状（直円筒状）またはテーパ状となり、前記摩擦体３の頂壁と摩擦体３の側壁との間は、凸曲面状外面により接続される。前記頂壁の平面状外面、及び前記頂壁と摩擦体３の側壁との間の凸曲面状外面が、紙面上の熱変色性インキの筆跡を摩擦する摩擦部３１となる。前記軸筒２は合成樹脂または金属により形成される。
【００６８】
前記保護部材４は、合成樹脂（例えば、ポリカーボネイト、ポリエチレン、ポリプロピレン、ポリアセタール、ＡＢＳ樹脂等）の筒状体からなる。
【００６９】
前記保護部材４と前記摩擦体３の取付構造は、前記保護部材４の内周面と前記摩擦体保持部５２の外周面とが着脱自在に嵌合される構成、または、前記保護部材４の内周面と前記摩擦体３の外周面とが着脱自在に直接嵌合される構成、あるいは、前記保護部材４の内周面と前記摩擦体保持部５２の外周面とが着脱自在に嵌合され、且つ、前記保護部材４の内周面と前記摩擦体３の外周面とが着脱自在に直接嵌合される構成が挙げられる。前記保護部材４の内周面と前記摩擦体保持部５２の外周面との嵌合、及び前記保護部材４の内周面と前記摩擦体３の外周面との嵌合は、例えば、圧入嵌合（図９）、凹凸嵌合（図１０）、ネジ嵌合（図１１）等が挙げられる。
【００７０】
また、保護部材４の内周面と前記摩擦体３の外周面とが着脱自在に嵌合する際、前記保護部材４の内部と外部とを連通する通気手段（例えば、図１２乃至図１５の構成）を設けることもできる。
【００７１】
本実施の形態の熱変色性筆記具１は、摩擦体側に装着可能な保護部材４を着脱自在に備え、保護部材４を摩擦体側に装着した状態において、保護部材４の頂部が前記摩擦体３の頂部よりも外方に位置してなる。それにより、摩擦体非使用時、ユーザーの指先との接触や、摩擦体３と収容体内面（例えば、ペンケースの内面、ペン立ての底面、または衣服のポケット内面）との接触を回避でき、摩擦体３に手垢や埃等が付着すること（即ち摩擦体３が汚れること）を防止できる。
【００７２】
また、本実施の形態の熱変色性筆記具１は、保護部材４が筒状であり、保護部材４を摩擦体側に装着した状態において、保護部材４により摩擦体３の外周面が包囲される。それにより、摩擦体非使用時、ユーザーの指先や、摩擦体３と収容体内面（例えば、ペンケースの内面、ペン立ての底面、または衣服のポケット内面）との接触を確実に回避でき、摩擦体３が汚れることを確実に防止できる。
【００７３】
また、本実施の形態の熱変色性筆記具１は、保護部材４の内周面と摩擦体３の外周面とが着脱自在に直接嵌合してなる場合、摩擦体非使用時、筒状の保護部材４の内周面と、低摩耗性の弾性材料からなる摩擦体３の外周面との安定した嵌合状態を維持でき、保護部材４が摩擦体３から不用意に脱落することを防止できる。
【００７４】
また、本実施の形態の熱変色性筆記具１は、軸筒２の内部に熱変色性インキを収容し、前記軸筒２の前端に前記熱変色性インキが吐出可能なペン先２１を設け、前記軸筒２の前部外面に着脱自在に装着されるキャップ５を備え、前記キャップ５の頂部外面に前記摩擦体３を設けたことにより、キャップ５をペン先側から取り外して、摩擦体３を保護部材４で覆った状態でペン先２１による筆記することができ、摩擦体３の使用時のみ、保護部材４を摩擦体３から取り外して使用でき、非使用時の摩擦体３の汚れをできる限り回避できる。
【００７５】
また、本実施の形態の熱変色性筆記具１は、摩擦体３より取り外された保護部材４を摩擦体以外の部位（例えば、軸筒、キャップ、クリップ）に着脱自在に設けられる。本実施の形態では、具体的には、軸筒２の後端に摩擦体係止部２３を設け、該摩擦体係止部２３に、摩擦体使用時、一時的に摩擦体３が係止される。それにより、摩擦体側から取り外された保護部材４の紛失を防ぐことができる。
【００７６】
＜第４の実施の形態の摩擦具＞
図１６及び図１７に本発明の第４の実施の形態の摩擦具６を示す。
本実施の形態の摩擦具６は、本体７と、前記本体７の一端に設けた摩擦体３と、前記摩擦体３に着脱自在に嵌合される保護部材４とからなる。
【００７７】
前記本体７の一端には、低摩耗性の弾性材料（例えば、ＳＢＳ樹脂、ＳＥＢＳ樹脂、シリコーン樹脂）よりなる摩擦体３が固着され、前記摩擦体３が本体７の一端より外方に突出される。前記本体７は合成樹脂または金属により形成される。前記本体７の形状は、柱状、筒状、棒状等、把持可能であれば、何れであってもよい。
【００７８】
前記保護部材４は、合成樹脂（例えば、ポリカーボネイト、ポリエチレン、ポリプロピレン、ポリアセタール、ＡＢＳ樹脂等）の有底筒状体からなる。前記保護部材４の内周面と、前記摩擦体３の外周面とが着脱自在に直接嵌合される。前記摩擦体３と保護部材４との具体的な構成は、図９乃至図１５の何れかの構成が採用される。
【００７９】
本実施の形態の摩擦具６は、熱変色性インキの像または筆跡を摩擦しその際に生じる摩擦熱で該像または筆跡を熱変色可能な低磨耗性の弾性材料からなる摩擦体３を備えた摩擦具６であって、有底筒状体からなる保護部材４の内周面と前記摩擦体３の外周面とを着脱自在に直接嵌合させ、前記保護部材４を摩擦体３に嵌合させた状態において、前記保護部材４の頂部が前記摩擦体３の頂部よりも外方に位置してなる。それにより、摩擦体非使用時、ユーザーの指先との接触や、摩擦体３と収容体内面（例えば、ペンケースの内面、ペン立ての底面、または衣服のポケット内面）との接触を回避でき、摩擦体３に手垢や埃等が付着すること（即ち摩擦体が汚れること）を防止できる。
【００８０】
また、本実施の形態の摩擦具６は、保護部材４が有底筒状体からなり、保護部材４を摩擦体３に嵌合させた状態において、保護部材４により摩擦体３の頂部及び外周面が包囲される。それにより、摩擦体非使用時、ユーザーの指先や、摩擦体３と収容体内面（例えば、ペンケースの内面、ペン立ての底面、または衣服のポケット内面）との接触を確実に回避でき、摩擦体３が汚れることを確実に防止できる。
【００８１】
また、本実施の形態の摩擦具６は、有底筒状体からなる保護部材４の内周面と前記摩擦体３の外周面とを着脱自在に直接嵌合させてなることにより、摩擦体非使用時、筒状の保護部材４の内周面と、低摩耗性の弾性材料からなる摩擦体３の外周面との安定した嵌合状態を維持でき、保護部材４が摩擦体３から不用意に脱落することを防止できる。前記保護部材４の内周面と前記摩擦体３の外周面との嵌合は、例えば、圧入嵌合（図９）、凹凸嵌合（図１０）、ネジ嵌合（図１１）等が挙げられる。
尚、本発明の摩擦具６は、熱変色性筆記具を兼ねず、本体７内に熱変色性インキを備えないとともに、本体７の端部に熱変色性インキが吐出可能なペン先を備えない。
【００８２】
また、本実施の形態の摩擦具６は、摩擦体３より取り外された保護部材４を摩擦体以外の部位（例えば、本体７の他端、本体７の側壁）に着脱自在に設けられる。本実施の形態では、具体的には、本体７の他端に摩擦体係止部７１を設け、該摩擦体係止部７１に、摩擦体使用時、一時的に摩擦体３が係止される。それにより、摩擦体側から取り外された保護部材４の紛失を防ぐことができる。
【００８３】
＜摩擦体と保護部材の第１の構成＞
図９に摩擦体３と保護部材４の第１の構成を示す。本構成は、第１乃至第３の実施の形態の熱変色性筆記具１及び第４の実施の形態の摩擦具６に採用される。
摩擦体３の頂壁外面には、紙面上の熱変色性インキの筆跡を摩擦する摩擦部３１が形成される。前記摩擦部３１の側壁外周面には、保護部材４と嵌合される外側嵌合部３２が形成される。摩擦体３の頂壁外面（摩擦部３１）は凸曲面となり、摩擦体３の側壁外周面はストレート状（直円筒状）またはテーパ状となっている。
【００８４】
保護部材４は、頂壁と該頂壁に連設される筒状の側壁とからなる一端が開口された有底筒状体（例えば有底円筒体）である。前記保護部材４の側壁内周面には、摩擦体３の外側嵌合部３２と直接嵌合可能な内側嵌合部４１が形成される。
【００８５】
前記摩擦体３の外側嵌合部３２はストレート状の外面からなり、前記保護部材４の内側嵌合部４１がストレート状の内面からなり、前記摩擦体３の外側嵌合部３２と前記保護部材４の内側嵌合部４１とが着脱自在に圧入嵌合される。前記摩擦体３の内方（即ち摩擦体３の突出方向と反対側）には、段部８が形成され、前記摩擦体３の外側嵌合部３２と前記保護部材４の内側嵌合部４１とを圧入嵌合させた際、前記段部８と前記保護部材４の開口端または前記段部８と前記保護部材４の内壁とが当接される。前記段部８は、熱変色性筆記具１の場合は、軸筒２または摩擦体３に形成され、摩擦具６の場合、本体７または摩擦体３に形成される。
【００８６】
＜摩擦体と保護部材の第２の構成＞
図１０に摩擦体３と保護部材４の第２の構成を示す。本構成は、第１乃至第３の実施の形態の熱変色性筆記具１及び第４の実施の形態の摩擦具６に採用される。
摩擦体３の頂壁外面には、紙面上の熱変色性インキの筆跡を摩擦する摩擦部３１が形成される。前記摩擦部３１の側壁外周面には、保護部材４と嵌合される外側嵌合部３２が形成される。摩擦体３の頂壁外面（摩擦部３１）は凸曲面となり、摩擦体３の側壁外周面はストレート状（直円筒状）またはテーパ状となっている。
【００８７】
保護部材４は、頂壁と該頂壁に連設される筒状の側壁とからなる一端が開口された有底筒状体（例えば有底円筒体）である。前記保護部材４の側壁内周面には、摩擦体３の外側嵌合部３２と直接嵌合可能な内側嵌合部４１が形成される。
【００８８】
前記摩擦体３の外側嵌合部３２は外向突起（例えば、環状突起または複数個の突起群）からなり、前記保護部材４の内側嵌合部４１は内向突起（例えば、環状突起または複数個の突起群）からなり、前記摩擦体３の外側嵌合部３２と前記保護部材４の内側嵌合部４１とが着脱自在に凹凸嵌合（いわゆる乗り越え嵌合）される。前記摩擦体３の内方（即ち摩擦体３の突出方向と反対側）には、段部８が形成され、前記摩擦体３の外側嵌合部３２と前記保護部材４の内側嵌合部４１とを凹凸嵌合させた際、前記段部８と前記保護部材４の開口端または前記段部８と前記保護部材４の内壁とが当接される。前記段部８は、熱変色性筆記具１の場合は、軸筒２または摩擦体３に形成され、摩擦具６の場合、本体７または摩擦体３に形成される。
【００８９】
＜摩擦体と保護部材の第３の構成＞
図１１に摩擦体３と保護部材４の第３の構成を示す。本構成は、第１乃至第３の実施の形態の熱変色性筆記具１及び第４の実施の形態の摩擦具６に採用される。
摩擦体３の頂壁外面には、紙面上の熱変色性インキの筆跡を摩擦する摩擦部３１が形成される。前記摩擦部３１の側壁外周面には、保護部材４と嵌合される外側嵌合部３２が形成される。摩擦体３の頂壁外面（摩擦部３１）は凸曲面となり、摩擦体３の側壁外周面はストレート状（直円筒状）またはテーパ状となっている。
【００９０】
保護部材４は、頂壁と該頂壁に連設される筒状の側壁とからなる一端が開口された有底筒状体（例えば有底円筒体）である。前記保護部材４の側壁内周面には、摩擦体３の外側嵌合部３２と直接嵌合可能な内側嵌合部４１が形成される。
【００９１】
前記摩擦体３の外側嵌合部３２はオネジ部からなり、前記保護部材４の内側嵌合部４１はメネジ部からなり、前記摩擦体３の外側嵌合部３２と前記保護部材４の内側嵌合部４１とが着脱自在にネジ嵌合（即ち螺合）される。前記摩擦体３の内方（即ち摩擦体３の突出方向と反対側）には、段部８が形成され、前記摩擦体３の外側嵌合部３２と前記保護部材４の内側嵌合部４１とをネジ嵌合させた際、前記段部８と前記保護部材４の開口端または前記段部８と前記保護部材４の内壁とが当接される。前記段部８は、熱変色性筆記具１の場合は、軸筒２または摩擦体３に形成され、摩擦具６の場合、本体７または摩擦体３に形成される。
【００９２】
＜摩擦体と保護部材の第４の構成＞
図１２に摩擦体３と保護部材４の第４の構成を示す。本構成は、第１乃至第３の実施の形態の熱変色性筆記具１及び第４の実施の形態の摩擦具６に採用される。
摩擦体３の頂壁外面には、紙面上の熱変色性インキの筆跡を摩擦する摩擦部３１が形成される。前記摩擦部３１の側壁外周面には、保護部材４と嵌合される外側嵌合部３２が形成される。摩擦体３の頂壁外面（摩擦部３１）は凸曲面となり、摩擦体３の側壁外周面はストレート状（直円筒状）またはテーパ状となっている。
【００９３】
保護部材４は、頂壁と該頂壁に連設される筒状の側壁とからなる有底筒状体（例えば有底円筒体）である。前記保護部材４の側壁内周面には、摩擦体３の外側嵌合部３２と直接嵌合可能な内側嵌合部４１が形成される。
【００９４】
前記摩擦体３の外側嵌合部３２はストレート状の外面（直円筒状外面）からなり、前記保護部材４の内側嵌合部４１がストレート状の内面（直円筒状内面）からなり、前記摩擦体３の外側嵌合部３２と前記保護部材４の内側嵌合部４１とが着脱自在に圧入嵌合される。なお、本構成において、嵌合構造は、圧入嵌合（図９）以外にも、凹凸嵌合（図１０）、ネジ嵌合（図１１）を採用することもできる。前記摩擦体３の内方（即ち摩擦体３の突出方向と反対側）には、段部８が形成され、前記摩擦体３の外側嵌合部３２と前記保護部材４の内側嵌合部４１とを嵌合させた際、前記段部８と前記保護部材４の開口端または前記段部８と前記保護部材４の内壁とが当接される。前記段部８は、熱変色性筆記具１の場合は、軸筒２または摩擦体３に形成され、摩擦具６の場合、本体７または摩擦体３に形成される。
【００９５】
前記保護部材４が、頂壁と該頂壁に連設される筒状の側壁とからなる一端が開口された有底筒状体であり、前記保護部材４の頂壁及び／又は側壁に、前記通気手段としての通気孔４２が形成される。前記保護部材４の内周面と前記摩擦体３の外周面とを着脱する際、前記通気孔４２により、保護部材４の内部と外部とを確実に連通させることができる。それにより、前記保護部材４の内周面と前記摩擦体３の外周面とを着脱する際、保護部材４の内部を加圧・減圧せず、保護部材４を摩擦体３にスムーズに着脱させることができる。
【００９６】
＜摩擦体と保護部材の第５の構成＞
図１３に摩擦体３と保護部材４の第５の構成を示す。本構成は、第１乃至第３の実施の形態の熱変色性筆記具１及び第４の実施の形態の摩擦具６に採用される。
摩擦体３の頂壁外面には、紙面上の熱変色性インキの筆跡を摩擦する摩擦部３１が形成される。前記摩擦部３１の側壁外周面には、保護部材４と嵌合される外側嵌合部３２が形成される。摩擦体３の頂壁外面（摩擦部３１）は凸曲面となり、摩擦体３の側壁外周面はストレート状（直円筒状）またはテーパー状となっている。
【００９７】
保護部材４は、両端が開口された筒状の側壁とからなる有底筒状体（例えば有底円筒体）である。前記保護部材４の側壁内周面には、摩擦体３の外側嵌合部３２と直接嵌合可能な内側嵌合部４１が形成される。
【００９８】
前記摩擦体３の外側嵌合部３２はストレート状外面（直円筒状の外面）からなり、前記保護部材４の内側嵌合部４１がストレート状内面（直円筒状の内面）からなり、前記摩擦体３の外側嵌合部３２と前記保護部材４の内側嵌合部４１とが着脱自在に圧入嵌合される。前記保護部材４は、どちらの開口側からでも摩擦体３に嵌合できる。なお、本構成において、嵌合構造は、圧入嵌合（図９）以外にも、凹凸嵌合（図１０）、ネジ嵌合（図１１）を採用することもできる。前記摩擦体３の内方（即ち摩擦体３の突出方向と反対側）には、段部８が形成され、前記摩擦体３の外側嵌合部３２と前記保護部材４の内側嵌合部４１とを嵌合させた際、前記段部８と前記保護部材４の開口端または前記段部８と前記保護部材４の内壁とが当接される。前記段部８は、熱変色性筆記具１の場合は、軸筒２または摩擦体３に形成され、摩擦具６の場合、本体７または摩擦体３に形成される。
【００９９】
前記保護部材４は、摩擦体３に嵌合させる際、頂部が開口され、通気手段としての通気孔４２が形成される。前記保護部材４の内周面と前記摩擦体３の外周面とを着脱する際、前記通気孔４２により、保護部材４の内部と外部とを確実に連通させることができる。それにより、前記保護部材４の内周面と前記摩擦体３の外周面とを着脱する際、保護部材４の内部を加圧・減圧せず、保護部材４を摩擦体３にスムーズに着脱させることができる。
【０１００】
＜摩擦体と保護部材の第６の構成＞
図１４に摩擦体３と保護部材４の第６の構成を示す。本構成は、第１乃至第３の実施の形態の熱変色性筆記具１及び第４の実施の形態の摩擦具６に採用される。
摩擦体３の頂壁外面には、紙面上の熱変色性インキの筆跡を摩擦する摩擦部３１が形成される。前記摩擦部３１の側壁外周面には、保護部材４と嵌合される外側嵌合部３２が形成される。摩擦体３の頂壁外面（摩擦部３１）は凸曲面となり、摩擦体３の側壁外周面はストレート状（直円筒状）またはテーパー状となっている。
【０１０１】
保護部材４は、頂壁と該頂壁に連設される筒状の側壁とからなる有底筒状体（例えば有底円筒体）である。前記保護部材４の側壁内周面には、摩擦体３の外側嵌合部３２と直接嵌合可能な内側嵌合部４１が形成される。
【０１０２】
前記摩擦体３の外側嵌合部３２はストレート状の外面（直円筒状の外面）からなり、前記保護部材４の内側嵌合部４１がストレート状の内面（直円筒状の内面）からなり、前記摩擦体３の外側嵌合部３２と前記保護部材４の内側嵌合部４１とが着脱自在に圧入嵌合される。なお、本構成において、嵌合構造は、圧入嵌合（図９）以外にも、凹凸嵌合（図１０）、ネジ嵌合（図１１）を採用することもできる。前記摩擦体３の内方（即ち摩擦体３の突出方向と反対側）には、段部８が形成され、前記摩擦体３の外側嵌合部３２と前記保護部材４の内側嵌合部４１とを嵌合させた際、前記段部８と前記保護部材４の開口端または前記段部８と前記保護部材４の内壁とが当接される。前記段部８は、熱変色性筆記具１の場合は、軸筒２または摩擦体３に形成され、摩擦具６の場合、本体７または摩擦体３に形成される。
【０１０３】
前記保護部材４の内側嵌合部４１に軸方向の溝または突条４３が形成される。それにより、前記保護部材４の側壁の内周面と前記摩擦体３の外周面との間に、前記通気手段としての通気路が形成される。前記通気路により、前記保護部材４の内周面と前記摩擦体３の外周面とを着脱する際、保護部材４の内部と外部とを確実に連通させることができる。その結果、前記保護部材４の内周面と前記摩擦体３の外周面とを着脱する際、保護部材４の内部を加圧・減圧せず、保護部材４を摩擦体３にスムーズに着脱させることができる。
【０１０４】
また、本構成は、摩擦体非使用時、通気手段を備えたにもかかわらず、摩擦体３を、頂壁や側壁に通気孔を備えない有底筒状体の保護部材４で覆うことができ、保護部材４の内部に塵や埃の侵入を防ぎ、より一層、摩擦体３の汚れを回避できる。
【０１０５】
＜摩擦体と保護部材の第７の構成＞
図１５に摩擦体３と保護部材４の第７の構成を示す。本構成は、第１乃至第３の実施の形態の熱変色性筆記具１及び第４の実施の形態の摩擦具６に採用される。
摩擦体３の頂壁外面には、紙面上の熱変色性インキの筆跡を摩擦する摩擦部３１が形成される。前記摩擦部３１の側壁外周面には、保護部材４と嵌合される外側嵌合部３２が形成される。摩擦体３の頂壁外面（摩擦部３１）は凸曲面となり、摩擦体３の側壁外周面はストレート状（直円筒状）またはテーパー状となっている。
【０１０６】
保護部材４は、頂壁と該頂壁に連設される筒状の側壁とからなる有底筒状体（例えば有底円筒体）である。前記保護部材４の側壁内周面には、摩擦体３の外側嵌合部３２と直接嵌合可能な内側嵌合部４１が形成される。
【０１０７】
前記摩擦体３の外側嵌合部３２はストレート状の外面（直円筒状の外面）からなり、前記保護部材４の内側嵌合部４１がストレート状の内面（直円筒状の内面）からなり、前記摩擦体３の外側嵌合部３２と前記保護部材４の内側嵌合部４１とが着脱自在に圧入嵌合される。なお、本構成において、嵌合構造は、圧入嵌合（図９）以外にも、凹凸嵌合（図１０）、ネジ嵌合（図１１）を採用することもできる。前記摩擦体３の内方（即ち摩擦体３の突出方向と反対側）には、段部８が形成され、前記摩擦体３の外側嵌合部３２と前記保護部材４の内側嵌合部４１とを嵌合させた際、前記段部８と前記保護部材４の開口端または前記段部８と前記保護部材４の内壁とが当接される。前記段部８は、熱変色性筆記具１の場合は、軸筒２または摩擦体３に形成され、摩擦具６の場合、本体７または摩擦体３に形成される。
【０１０８】
前記摩擦体３の外側嵌合部３２には、軸方向の溝または突条３３が形成される。それにより、前記保護部材４の側壁の内周面と前記摩擦体３の外周面との間に、前記通気手段としての通気路が形成される。前記通気路により、前記保護部材４の内周面と前記摩擦体３の外周面とを着脱する際、保護部材４の内部と外部とを確実に連通させることができる。その結果、前記保護部材４の内周面と前記摩擦体３の外周面とを着脱する際、保護部材４の内部を加圧・減圧せず、保護部材４を摩擦体３にスムーズに着脱させることができる。
【０１０９】
また、本構成は、摩擦体非使用時、通気手段を備えたにもかかわらず、摩擦体３を、頂壁や側壁に通気孔を備えない有底筒状体の保護部材４で覆うことができ、保護部材４の内部に塵や埃の侵入を防ぎ、より一層、摩擦体３の汚れを回避できる。
【符号の説明】
【０１１０】
１  熱変色性筆記具
２  軸筒
２１  ペン先
２２  操作部
２３  摩擦体係止部
３  摩擦体
３１  摩擦部
３２  外側嵌合部
３３  溝または突条（通気路）
４  保護部材
４１  内側嵌合部
４２  通気孔
４３  溝または突条（通気路）
５  キャップ
５１  後ろ差し嵌合部
５２  摩擦体保持部
５３  摩擦体係止部
６  摩擦具
７  本体
７１  摩擦体係止部
８  段部
【図１】
2014141077.tif 000003
【図２】
2014141077.tif 000004
【図３】
2014141077.tif 000005
【図４】
2014141077.tif 000006
【図５】
2014141077.tif 000007
【図６】
2014141077.tif 000008
【図７】
2014141077.tif 000009
【図８】
2014141077.tif 000010
【図９】
2014141077.tif 000011
【図１０】
2014141077.tif 000012
【図１１】
2014141077.tif 000013
【図１２】
2014141077.tif 000014
【図１３】
2014141077.tif 000015
【図１４】
2014141077.tif 000016
【図１５】
2014141077.tif 000017
【図１６】
2014141077.tif 000018
【図１７】
2014141077.tif 000019